(57)【特許請求の範囲】
【請求項１】
円形状のレンズの外周の一部を切り欠いた形状の切り欠きレンズの円弧部の塗装に用いるレンズ固定治具であって、前記レンズと同一の外径を有する円盤状部を備え、且つその円盤状部の上面に前記切り欠きレンズを載置した際に切り欠きレンズの円弧部と円盤状部の外周部とで円形状を形成するように、前記円盤状部の上面に前記切り欠きレンズをはめ合わせる段付部を形成したことを特徴とする切り欠きレンズの塗装に用いるレンズ固定治具。
【請求項２】
円形状のレンズの外周の一部を切り欠いた形状の切り欠きレンズの円弧部の塗装に用いるレンズ固定治具であって、前記レンズと同一の外径を有する円盤状で且つその上面に前記切り欠きレンズを載置した際に切り欠きレンズの円弧部と治具外周部とで同一円周面を形成するように、前記切り欠きレンズを載置する上面を前記切り欠きレンズの形状に合致する座グリ形状に形成したことを特徴とする切り欠きレンズの塗装に用いるレンズ固定治具。
【請求項３】
前記切り欠きレンズの形状に合致する座グリ形状における切り欠きレンズの平面部と対応する面には、弾性部材を配置することを特徴とする請求項２記載の切り欠きレンズの塗装に用いるレンズ固定治具。
【請求項４】
円形状のレンズの外周の一部を切り欠いた形状の切り欠きレンズの円弧部の塗装方法において、前記円形状のレンズと同一の外径を有する円盤状で且つその上面に前記切り欠きレンズを載置した際に切り欠きレンズの円弧部と治具外周部とで同一円周面を形成するように形成した座グリ形状を有するレンズ固定治具に、前記切り欠きレンズを載置する工程と、前記レンズ固定治具の軸心を回転中心として回転させて前記切り欠きレンズの円弧部と治具外周部とに塗料を塗布する工程と、塗布後にレンズ固定治具から切り欠きレンズを取り出す工程とを有することを特徴とする切り欠きレンズの塗装方法。
【発明の詳細な説明】
【０００１】
【発明の属する技術分野】
本発明は、レンズの外周面に反射防止作用を有する塗料を塗布する際に用いられるレンズ固定治具およびレンズ塗装方法に関する。
【０００２】
【従来の技術】
カメラや顕微鏡等の光学機器に用いられるレンズ系を構成するレンズは、フレアーやゴースト等の発生を防止するために、レンズ外周面に反射防止作用を有する黒色系の塗料が塗布されている。
【０００３】
レンズ外周面に前記黒色系の塗料を塗布する作業は、従来の刷毛や筆を用いた手作業から、効率化を図ることができる、例えば特公昭６１−３０３６２号公報に記載されるようなロールに塗料を塗布した後にこの塗料をレンズ外周面に転写するロール転写方式や、特開平３−２９６４５９号公報に記載されるような墨ツボ等の供給手段から毛細管現象により塗料を吸い上げてフェルト状の墨塗り塗布具の先端に供給し、この墨塗り塗布具の先端から塗料をレンズ外周面に塗布する方式が用いられるようになってきている。
【０００４】
このような効率化を図ることができる方式では、レンズの外周面は円形状であり、この円形状の外径を衝としてＶブロックに当接し、レンズの光軸（光学軸）を回転軸の軸心と一致させてレンズをこの回転軸に保持し、次いでレンズを回転させることによりレンズ外周面に塗料を塗布するものである。
【０００５】
【発明が解決しようとする課題】
ところで最近、円形状のレンズの外周部（以下、外周円部という）の一部を、例えば図２に示すように、弦状に切り欠いた形状のレンズを用いることによって、光学機器のレンズ系を小型化するものがある。
【０００６】
しかしながら、レンズの外周円部を切り欠いた後にこの切り欠きレンズの円弧状の外周部（以下、円弧部という）に塗装する場合は、従来の方法のように円形状の外周円部を衝とするものとは異なり、切り欠きによってレンズの光軸を回転軸の軸心と一致させて回転軸に保持することが難しくなる。また保持できたとしても弾性を有する塗布具の先端を切り欠きレンズの円弧部に倣わせて塗装を行なう場合には、切り欠きレンズの円弧部と切り欠いた平面部の境を明確にして塗装することができない。また、塗布具を円弧部のみに接触させるように動作させることも可能ではあるが、高度な制御機構を設ける等の必要があり、装置が複雑になってしまう。さらに、弾性を有する塗布具の先端が円弧部と切り欠いた平面部との境を通過する際に、弾性の戻りにより塗料を跳ね上げて飛散してしまい、レンズの研磨された面や装置に塗料を付着させてしまうことがあった。
【０００７】
本発明は上記問題点に鑑みてなされたものであり、レンズ外周部に切り欠きを有する切り欠きレンズの円弧状の外周部のみの塗装を、円形状のレンズの塗装と同様な方法で行なうことができるレンズ固定治具および塗装方法を提供することを目的とする。
【０００８】
【課題を解決するための手段】
前記目的を達成するために、第１の発明に係るレンズの固定治具は、円形状のレンズの外周の一部を切り欠いた形状の切り欠きレンズの円弧部の塗装に用いるレンズ固定治具であって、前記レンズと同一の外径を有する円盤状部を備え、且つその円盤状部の上面に前記切り欠きレンズを載置した際に切り欠きレンズの円弧部と円盤状部の外周部とで円形状を形成するように、前記円盤状部の上面に前記切り欠きレンズをはめ合わせる段付部を形成したことを特徴とするものである。
【０００９】
前記構成のレンズ固定治具によれば、円盤状部上面に切り欠きレンズを嵌装する段付部を形成しているので、この段付部に前記切り欠きレンズを載置した際には切り欠きレンズの円弧部と円盤状部の外周部とで円形状を形成する、即ち、切り欠きレンズを段付部にはめた状態で目的とする形の円形状にすることができるので、円形状のレンズの塗装と同様な塗装を行なうことができる。また、切り欠きレンズの切り欠いた平面部が円盤状部上面のはめ合わせた部分により遮蔽(マスキング)されているので、この平面部には塗装がされない。よって、切り欠きレンズを円盤状上面に載置して、前記切り欠きレンズの円弧部と円盤状部の外周部とで円形状を形成し、この円形状の外周面を1つのレンズと見なして外周面の塗装を行なった後に切り欠きレンズをレンズ固定治具から取り外すと、所望の円弧部のみが塗装された切り欠きレンズを得ることができる。
【００１０】
また、第２の発明に係るレンズ固定治具は、円形状のレンズの外周の一部を切り欠いた形状の切り欠きレンズの円弧部の塗装に用いるレンズ固定治具であって、前記レンズと同一の外径を有する円盤状で且つその上面に前記切り欠きレンズを載置した際に切り欠きレンズの円弧部と治具外周部とで同一円周面を形成するように、前記切り欠きレンズを載置する上面を前記切り欠きレンズの形状に合致する座グリ形状に形成したことを特徴とするものである。
【００１１】
前記構成のレンズ固定治具によれば、円盤状の上面の座グリ形状に合致させて切り欠きレンズを載置した際に、切り欠きレンズの平面部が遮蔽（マスキング）され、切り欠きレンズの円弧部と治具外周部とで同一円周面を形成する。よって、切り欠きレンズを円盤状上面に載置して、切り欠きレンズの円弧部と円盤状の外周部とで同一円周面を形成し、この円周面を１つのレンズと見なして円周面の塗装を行なった後に切り欠きレンズをレンズ固定治具から取り外すと、所望の円弧部のみが塗装されたレンズを得ることができる。
【００１２】
また、第3の発明に係るレンズ固定治具は、第2の発明において、切り欠きレンズの形状に合致する座グリ形状における切り欠きレンズの平面部と対応する面に、弾性部材を配置することを特徴とするものである。
【００１３】
前記構成のレンズ固定治具によれば、弾性部材の弾性によりレンズが押圧されるので、切り欠きレンズの保持が容易になる。
さらに、第４の発明に係るレンズ塗装方法は、円形状のレンズの外周の一部を切り欠いた形状の切り欠きレンズの円弧部の塗装方法において、前記円形状のレンズと同一の外径を有する円盤状で且つその上面に前記切り欠きレンズを載置した際に切り欠きレンズの円弧部と治具外周部とで同一円周面を形成するように形成した座グリ形状を有するレンズ固定治具に、前記切り欠きレンズを載置する工程と、前記レンズ固定治具の軸心を回転中心として回転させて前記切り欠きレンズの円弧部と治具外周部とに塗料を塗布する工程と、塗布後にレンズ固定治具から切り欠きレンズを取り出す工程とを有することを特徴とするものである。
【００１４】
前記構成のレンズ塗装方法によれば、座グリ形状を有するレンズ固定治具に切り欠きレンズを載置すると、切り欠きレンズの平面部が遮蔽（マスキング）され、切り欠きレンズの円弧部と治具外周部とで同一円周面を形成する。この状態でレンズ固定治具の軸心を回転軸として回転させると、円形状のレンズと同様に塗装を行なうことができ、塗布後にレンズ固定治具からレンズを取り出すと所望の円弧部のみが塗装された切り欠きレンズを容易に得ることができる。
【００１５】
【発明の実施の形態】
（発明の第１の実施の形態）
本発明の第１の実施の形態におけるレンズ固定治具およびレンズ塗装方法について説明する。
【００１６】
図１は本実施の形態にて用いるレンズ固定治具の斜視図、図2は本実施の形態にて用いる切り欠きレンズ、図3はレンズ固定治具を用いた塗装装置の概要を説明する図である。
【００１７】
図2において、切り欠きレンズ１は、円形状のレンズ２（切り欠きレンズの素材となるレンズ）の外周部の一部、例えば、矩形のフィルムの結像画面に対して有効な撮影光束の通る範囲を確保した円形状のレンズの両側部を、切り欠いて得られたレンズであり、その外径はＬ、切り欠き幅はＭ、切り欠きレンズ１の円弧状の外周部（円弧部）３での厚さはＮである。
【００１８】
この切り欠きレンズ１の円弧部３に塗料を塗布するために用いるレンズ固定治具５は、図１に示すように、円盤状でその上面６に前記切り欠きレンズ１をはめ合わせる段付部形状の段付部７、具体的には座グリ形状の座グリ８が形成されている。
【００１９】
即ち、図1において、レンズ固定治具５は、切り欠きレンズ１を載置する円盤状の固定部９と、この固定部９の底面側に取付けられ円盤状の固定部９と同一の軸心を有する回転軸１０とから構成されている。前記円盤状の固定部９は、切り欠きレンズ１と同一の外径Ｌを有している。また、固定部９の上面６には、切り欠きレンズ１の切り欠き幅Ｍと厚さＮに対応し切り欠きレンズ１を載置した際に同一外周面を有する円盤状となるように、座グリ幅がＭＡ、座グリ深さがＮの座グリ形状を有する座グリ８が形成されている。
【００２０】
座グリ８には、レンズ１を嵌め込んだ際にその弾性によってレンズ１が押圧固定されるように、座グリ８側面の最外周部に小片のゴムからなる弾性部材１１が設けられている。この弾性部材１１を座グリ８側面に設けるために、座グリ幅ＭＡは切り欠きレンズ１の切り欠き幅Ｍよりも大きくなっている。
【００２１】
図３は、前記レンズ固定治具５を用いて、切り欠きレンズ１の円弧部３に塗料を塗布する塗装装置１５である。前記レンズ固定治具５の回転軸１０はモーター１６と接続されている。また、レンズ固定治具５の座グリ８の設けられた固定部９の外周近傍には、塗料塗布手段１７が配置されている。この塗料塗布手段１７は、塗料を塗布する塗布具としてのペン１８とこのペン１８をレンズ固定治具５の固定部９に接近、離反させるスライド部１９とから構成されている。前記ペン１８の先端はレンズ固定治具５の固定部９の外周と対向するように配置されるとともに、図示しない制御装置により、ペン１８は固定部９の径方向にスライド部１９を介して移動制御されるようになっている。なおペン１８は、墨ツボ等の供給手段に接続されたフェルト状の墨塗り塗布具にて形成されている。
【００２２】
上記構成のレンズ固定治具５および塗装装置１５を用いて切り欠きレンズ１の円弧部３に塗料を塗布する方法を述べる。
切り欠きレンズ１をレンズ固定治具５の固定部９の上面６の座グリ８にはめ込み、固定部９の外周部１２とレンズ円弧部３とで円形状（即ち同一円周面）を形成するように切り欠きレンズ１の位置を調整した後に、切り欠きレンズ１を座グリ８に対して弾性部材１１の押圧により固定する。このとき、座グリ８はレンズ１形状に合致した座グリ部となる。次いで、モーター１６を回転させて、レンズ固定治具を回転させる。次いで、図示しない制御装置によりペン１８をスライド部１９を介して移動させ、ペン１８の先端をレンズ固定治具５の外周部１２と接触させる。この接触により、ペン１８の先端によって塗料が固定部９の外周部１２および切り欠きレンズ１の円弧部３に塗布される。塗料の塗布後にレンズ固定治具５の回転を停止し、レンズ固定治具５から切り欠きレンズ１を取り外す。この取り外しによって、円弧部３のみに塗料が塗布された切り欠きレンズ１が得られる。
【００２３】
本実施の形態によれば、固定部９の座グリ８によって切り欠きレンズ１の平面部１３が遮蔽されているので、塗料は切り欠きレンズ１の円弧部３のみに塗布されることになる。また、レンズ固定治具５の座グリ８側面の最外周部に設けられた弾性部材１１により、座グリ８に対する切り欠きレンズ１の着脱を容易に行なうことができる共に、切り欠きレンズ１の平面部１３への塗料の回り込みを防止することができる。
【００２４】
（発明の第２の実施の形態）
本発明の第２の実施の形態におけるレンズ固定治具およびレンズ塗装方法について説明する。
【００２５】
図4は、本実施の形態にて用いるレンズ固定治具の斜視図、図5は、本実施の形態にて用いる塗装装置の概要を説明する断面図である。本実施の形態では切り欠きレンズは前記図2の切り欠きレンズを用いる。
【００２６】
図４において、レンズ固定治具２０は、切り欠きレンズ１と同一の外径Ｌを有する円盤状で、その上面２１には切り欠きレンズ１の切り欠き幅Ｍと厚さＮに対応し、切り欠きレンズ１を載置した際に切り欠きレンズ１の円弧部３とともに同一外周面を有する円盤状となるように、座グリ幅がＭＡ、座グリ深さがＮの座グリ形状を有する座グリ２２が形成されている。
【００２７】
この座グリ２２には、レンズ１を嵌め込んだ際にその弾性によってレンズ１が押圧固定されるように、座グリ２２側面の最外周部に小片のゴムからなる弾性部材２３が設けられている。弾性部材２３を座グリ２２側面に設けるために、座グリ幅ＭＡは切り欠きレンズ１の切り欠き幅Ｍよりも大きくなっている。
【００２８】
また前記レンズ固定治具２０の上面２１側には、前記座グリ２２によって残ったＤ形状の突出部の上面のそれぞれに、ピン２４および、ピン２５が植設されるとともに、裏面には、同形状のレンズ固定治具の複数個を重ねて連結できるように、前記各ピン位置に対応して穴２６、２７が穿設されている。
【００２９】
図5は、複数個を重ねて連結して得られるたレンズ固定治具２０の連結体２８を用いて、各治具に固定された切り欠きレンズの円弧部に塗料を塗布する塗装装置３０である。
【００３０】
この塗装装置３０には、塗料３１を貯留した液槽３２内に部分的に浸漬させた円柱状の塗布ローラー３３が、不図示のモーターによって回転されるように配置されている。またこの塗装装置３０には、切り欠きレンズ１を固定したレンズ固定治具２０の複数個を重ねて連結して得られる連結体２８の外周部３４が前記塗布ローラー３３の上方位置で且つ塗布ローラー３３の外周部と接触しつつ回転するように、前記連結体２８を回転可能に支持するための支持部(不図示)が配置されている。またこの塗装装置３０には、液槽３２から塗布ローラー３３によつて汲み上げられる塗料３１の量を一定に絞るための絞りローラー３５が回転可能に配置されている。この絞りローラー３５は、回転する塗布ローラー３３と連結体２８とが接触する位置における塗布ローラー３３の上流側に配置されており、絞りローラー３５の外周部は塗布ローラー３３と接触している。
【００３１】
上記構成のレンズ固定治具２０および塗装装置３０を用いて切り欠きレンズの円弧部に塗料を塗布する方法について述べる。
切り欠きレンズ１をレンズ固定治具２０の上面２１の座グリ２２にはめ込み、治具外周部３６とレンズ円弧部３とで円形状を形成するようにレンズの位置を調整して、切り欠きレンズ１を固定する。このようにして、切り欠きレンズ１がはめ込まれたレンズ固定治具２０の多数個を準備し、各々のピン２４、２５と穴２６、２７とを連結させてレンズ固定治具２０による円柱状の連結体２８を形成する。
【００３２】
次いで、この連結体２８を前記塗装装置３０に配置された支持部にて支持し、塗布ローラー３３の外周部の上部と回転自在に接触させる。不図示のモーターによって塗布ローラー３３を回転させ、塗布ローラー３３によって液槽３２より塗料３１を汲み上げる。この際、塗料３１は絞りローラー３５によって一定量に絞られる。一定量に絞られた塗料３１は、塗布ローラー３３の回転に伴って連結体２８の外周面３４に転写される。回転自在に支持された連結体２８は塗布ローラー３３とともに回転するので、連結体２８の外周面全体に塗料３１が塗布される。塗料３１の塗布後に塗布ローラー３３の回転を停止し、連結体２８を支持部即ち塗布ローラー３３から取り外し、さらに個々のレンズ固定治具２０に分解する。そして、個々のレンズ固定治具２０から切り欠きレンズを取り出すと、円弧部３のみに塗料が塗布された切り欠きレンズ１が得られる。
【００３３】
本実施の形態によれば、実施の形態１と同様な効果が得られることに加えて、多数個の切り欠きレンズの円弧部の塗装が同時に行なえるため、作業能率を向上させることができる。
【００３４】
（発明の第３の実施の形態）
本発明の第３の実施の形態におけるレンズ固定治具について説明する。
図６は本実施の形態にて用いるレンズ固定治具の斜視図、図7は本実施の形態にて用いる切り欠きレンズである。
【００３５】
図7において、切り欠きレンズ４０は、円形状のレンズ（切り欠きレンズの素材となるレンズ）４３の外周部の一部側（側面部の一方のみ）を切り欠いて得られたレンズである。
【００３６】
この切り欠きレンズ４０の円弧部４１に塗料を塗布するために用いるレンズ固定治具４５は、図６に示すように、円盤状でその上面４６に前記切り欠きレンズ４０をはめ合わせる段付部形状の段付部４７が形成されている。
【００３７】
したがって、図6に示すレンズ固定治具４５の段付部４７の上面に、図7に示す切り欠きレンズ４０を載置してはめ合わせると、切り欠きレンズ４０の円弧部４１と治具外周部４８とで同一円周面を形成する構成となっている。
【００３８】
このようなレンズ固定治具４５と切り欠きレンズ４０の組み合わせにおいて、両者を接着固定すると、前記各実施の形態と同様に切り欠きレンズ４０の円弧部４１と治具外周部４８との全面に塗料を塗布することができる。そして塗料の塗布後に、レンズ固定治具４５と切り欠きレンズ４０を剥離すると、円弧部４１のみに塗料が塗布された切り欠きレンズ４０が得られる。平面部４４は、レンズ固定治具４５の段付部４７でマスキングされていたので塗料の付着はない。
【００３９】
なお、実施の形態１および２において、切り欠きレンズの固定は弾性部材へのはめ込みにより行なったが、接着剤やワックスによる固定やエアー吸引による固定により行なってもよい。
【００４０】
また、実施の形態３において、両者の接着固定は接着剤やワックスによる固定やエアー吸引による固定により行なっても良い。
また、各実施の形態での切り欠きレンズは、円形状のレンズを素材としてその側面を切り欠いて形成するものに限らず、例えば、合成樹脂の射出成形による射出成形型によってその形状を直接形成しても良く、あるいはガラスプレスによる成形型によってその形状を直接形成しても良い。
【００４１】
なお、上記した具体的実施の形態から次のような構成の技術的思想が導き出される。
（付記）
（１） 外形が円状のレンズをレンズ素材として、外形の一部を弦状に切り欠いた切り欠きレンズの外周円弧部の面の塗装に用いるレンズ固定治具において、レンズ素材と同一の外径を有した円盤状で、その上面に前記切り欠きレンズを載置した際に切り欠きレンズの外周円弧面と治具外周面とが同一円周面となるように切り欠きレンズ形状に合致した座グリ部を有することを特徴とする切り欠きレンズの塗装に用いるレンズ固定治具。
（２） 外形が円状のレンズをレンズ素材として、外形の一部を弦状に切り欠いた切り欠きレンズの外周円弧部の面の塗装方法において、レンズ素材と同一の外径を有した円盤状でその上面に前記切り欠きレンズを載置した際に切り欠きレンズの外周円弧面と治具外周面とが同一円周面となるように切り欠きレンズ形状に合致した座グリ部を有するレンズ固定治具に、レンズ外周円弧面と治具外周面が同一円周面になるように固定する工程と、レンズ固定治具の軸心を回転軸心として回転させて、その回転する外周部に塗料を塗布する工程と、塗布後にレンズ固定治具から切り欠きレンズを取り外す工程とを有することを特徴とする切り欠きレンズの塗装方法。
【００４２】
付記（１）記載のレンズ固定治具によれば、円形状のレンズの外周面に塗料を塗布するのと同じになるので、従来の塗装装置であるいは従来の塗装方法と同様に塗装することができる。
【００４３】
また、付記（２）に記載の塗装方法によれば、レンズ固定治具に切り欠きレンズを固定することにより、塗装を行ないたくない切り欠き面をマスキングしつつ、見かけ上レンズ外周形状を円形状にすることができる。これにより、切り欠きレンズを固定したレンズ固定治具を一つのレンズと見なして外周部の塗装を行なった後に切り欠きレンズをレンズ固定治具から取り外すと、所望の円弧状外周部のみが塗装されたレンズを得ることができる。
【００４４】
【発明の効果】
請求項１による本発明のレンズ固定治具によれば、円盤状部上面の段付部に切り欠きレンズをはめ込むことにより、切り欠きレンズの円弧部と円盤状部の外周部とで円形状を形成するので、円形状のレンズの塗装と同様な塗装を行なうことができる効果を奏する。
【００４５】
また、請求項２による本発明のレンズ固定治具によれば、円盤状の上面の座グリ形状に合致させて切り欠きレンズを載置することにより、切り欠きレンズの円弧部と治具外周部とで同一円周面を形成するので、円形状のレンズと同様な塗装を行なうことができる効果を奏する。
【００４６】
さらに、請求項３による本発明のレンズ固定治具によれば、弾性部材の弾性によりレンズが押圧されてレンズの保持が容易になる効果を奏する。
請求項４による本発明のレンズ塗装方法によれば、切り欠きレンズの平面部が治具でマスキングされつつ切り欠きレンズの円弧部と治具外周部とで同一円周面を形成し、この状態でレンズ固定治具を回転させると円形状のレンズと同様に塗装を行なうことができ、塗布後にレンズ固定治具からレンズを取り出すと所望の円弧部のみが塗装された切り欠きレンズを得ることができる効果を奏する。
【図面の簡単な説明】
【図１】本発明の第１の実施の形態に用いるレンズ固定治具の斜視図である。
【図２】本発明の第１の実施の形態に用いる切り欠きレンズの斜視図である。
【図３】本発明の第１の実施の形態における塗装装置の概要を説明する図である。
【図４】本発明の第２の実施の形態に用いるレンズ固定治具の斜視図である。
【図５】本発明の第２の実施の形態における塗装装置の概要を説明する断面図である。
【図６】本発明の第３の実施の形態に用いる切り欠きレンズの斜視図である。
【図７】本発明の第3の実施の形態に用いるレンズ固定治具の斜視図である。
【符号の説明】
１    切り欠きレンズ
２    円形状のレンズ(切り欠きレンズの素材に相当するレンズ)
３    円弧状の外周部
５    レンズ固定治具
７    段付部
８    座グリ
９    固定部
１０  回転軸
１１  弾性部材
１２  外周部
２０  レンズ固定治具
２２  座グリ
２３  弾性部材
３６  治具外周部
４０  切り欠きレンズ
４１  円弧部
４５  レンズ固定治具
４７  段付部
【図１】
0003960443.tif 000002
【図２】
0003960443.tif 000003
【図３】
0003960443.tif 000004
【図４】
0003960443.tif 000005
【図５】
0003960443.tif 000006
【図６】
0003960443.tif 000007
【図７】
0003960443.tif 000008